(57)【特許請求の範囲】
【請求項１】
駆動源と、
前記駆動源の回転軸に連繋して回転駆動される複数の羽根を有するファンと、
前記駆動源側に取り付けられた取付部から対向する前記ファンに向かって磁界を発生させる磁界発生部と、
前記磁界発生部に近接して対向配置され、前記ファンに複数のコイルが周方向に一体に組み付けられたコイルユニットと、
前記コイルユニットに前記磁界発生部との間で交番磁界が作用する作用状態と交番磁界が作用しない非作用状態とで切り替える状態切替部と、を具備し、
磁束作用面に永久磁石を備えた前記磁界発生部がワンウェイクラッチを介して前記回転軸に取り付けられており、前記駆動源を正逆回転駆動させることで、前記ワンウェイクラッチが前記回転軸に連繋して前記磁界発生部が前記ファンと共回りすることで交番磁界が発生しない非作用状態と、前記磁界発生部は静止したまま前記回転軸に対して前記ワンウェイクラッチを空転させることで交番磁界が発生する作用状態とで切り替えられ、
前記状態切替部は交番磁界の作用状態において、前記駆動源の駆動により前記ファンとともに前記コイルユニットを回転させることで、前記各コイルに誘導電流が流れて発生した電力が熱エネルギーに変換されて発熱することにより前記ファンが加温されることを特徴とする送風機。
【請求項２】
前記ファンと一体に組み付けられ、前記コイルユニットの各コイルと電気的に接続された発熱体を備えており、前記状態切替部は交番磁界の作用状態において、前記駆動源の駆動により前記ファンとともに前記コイルユニットを回転させることで、前記各コイルに誘起された誘導電圧を電源として前記発熱体に通電して発熱させることにより前記ファン全体が加温される請求項１記載の送風機。
【請求項３】
前記ファンは、熱伝導性の高い樹脂若しくは金属製のファンが用いられる請求項１又は請求項２記載の送風機。
【発明の詳細な説明】
【技術分野】
【０００１】
本発明は、例えばショーケース、業務用冷蔵庫、輸送トラックなどの冷凍冷蔵装置に用いられる送風機に関する。
【背景技術】
【０００２】
従来から冷凍冷蔵装置に用いられる冷却システムは、圧縮機により蒸気化した冷媒が圧縮されて高圧気体として凝縮器（熱交換部）へ送り込まれる。凝縮器では、送風ファンによって送風されることで冷媒が放熱して高圧液化し、該高圧液化した冷媒が膨張弁により減圧されて蒸発器（熱交換部）へ送り込まれる。蒸発器では、送風ファンによって送風されることで冷媒が蒸発潜熱を排気より吸熱して蒸気化し、蒸発圧力調整弁で低圧気体となって再度圧縮器へ回収されるサイクルを繰り返す。
【０００３】
このとき蒸発器では熱交換器を通じて冷媒が吸熱して、排気が冷やされるため、排気中に含まれる水分が、蒸発器や送風ファンに霜となって付着する。蒸発器に霜が付着すると、冷却効率が低下し、送風ファンに霜が付着すると、送風効率が低下する。
よって、蒸発器及び送風ファンの近傍にヒーターを設けて、周囲の温度を一時的にあげる除霜運転を行うことで冷却効率を回復させている。
【０００４】
例えば、当初は圧縮器の動作を停止状態で自然除霜を行い、着霜量が多い場合には加熱除霜を行う冷却冷蔵庫が提案されている（特許文献１参照）。或いは除霜負荷が少ないときは冷気送風により庫内空気熱源により除霜を行い、除霜負荷が大きくなると除霜ヒーターにより除霜を行う冷凍冷蔵庫が提案されている（特許文献２参照）。
【先行技術文献】
【特許文献】
【０００５】
【特許文献１】特開２００６−５２８７８号公報
【特許文献２】特開平８−２８５４４０号公報
【発明の概要】
【発明が解決しようとする課題】
【０００６】
しかしながら、上述した特許文献１及び２に示す冷蔵庫では、蒸発器及び送風ファンの除霜を行うために、ヒーターを広範囲に設置する必要があり、製品コストや消費電力が嵩む。
また、ショーケースなどの冷凍冷蔵装置は、庫内を冷却することが目的であり、ヒーターの設置及び除霜運転は可能な限り抑えたいという要求があった。
【０００７】
本件出願人は、先にモータにマグネットを設け、ファンに閉コイルを設けることで、ファンの回転に伴って電磁誘導を発生させて誘導電流が閉コイルに流れることで発生した電力が熱エネルギーに変換されて発熱することでファンが加温されることを提案した。しかしながら、ファンが回転中は常に閉コイルが発熱状態となるため、除霜運転が不要なときまで発熱状態が継続してモータ負荷が常に増大する状態となり、モータ効率が低下するという課題が生じた。
【０００８】
本発明はこれらの課題を解決すべくなされたものであり、その目的とするところは、冷凍冷蔵装置においてファン自身が発熱して除霜を行う除霜運転を必要なときだけ行うことで駆動源の効率改善を実現した送風機を提供することにある。
【課題を解決するための手段】
【０００９】
本発明は上記目的を達成するため、次の構成を備える。
駆動源と、前記駆動源の回転軸に連繋して回転駆動される複数の羽根を有するファンと、前記駆動源側に取り付けられた取付部から対向する前記ファンに向かって磁界を発生させる磁界発生部と、前記磁界発生部に近接して対向配置され、前記ファンに複数のコイルが周方向に一体に組み付けられたコイルユニットと、前記コイルユニットに前記磁界発生部との間で交番磁界が作用する作用状態と交番磁界が作用しない非作用状態とで切り替える状態切替部と、を具備し、磁束作用面に永久磁石を備えた前記磁界発生部がワンウェイクラッチを介して前記回転軸に取り付けられており、前記駆動源を正逆回転駆動させることで、前記ワンウェイクラッチが前記回転軸に連繋して前記磁界発生部が前記ファンと共回りすることで交番磁界が発生しない非作用状態と、前記磁界発生部は静止したまま前記回転軸に対して前記ワンウェイクラッチを空転させることで交番磁界が発生する作用状態とで切り替えられ、前記状態切替部は交番磁界の作用状態において、前記駆動源の駆動により前記ファンとともに前記コイルユニットを回転させることで、前記各コイルに誘導電流が流れて発生した電力が熱エネルギーに変換されて発熱することにより前記ファンが加温されることを特徴とする。
尚、コイルには、電気的に閉じられた閉コイル或いは電気回路の一部として用いられるコイルの双方を含むものとする。
【００１０】
上記構成によれば、状態切替部は、コイルユニットに磁界発生部との間で交番磁界が作用する作用状態と交番磁界が作用しない非作用状態とで切り替えることができる。このため、例えば、冷凍冷蔵装置においてファンの除霜運転が必要ない場合には、状態切替部を非作用状態に切り替えて駆動源を駆動してコイルユニットによってファンを加温することなく回転させて通常の送風動作を行う。また、除霜運転が必要な場合には、状態切替部を作用状態に切り替えてファンとともにコイルユニットを回転させることで、各コイルに誘導電流が流れて発生した電力が熱エネルギーに変換されて発熱することによりファンが加温される。これにより、ファンの回転による継続的発熱に伴う駆動負荷の増加を回避し、駆動源の効率改善を実現することができる。
特に、駆動源を選択的に正逆回転駆動させることで、ワンウェイクラッチが回転軸に連繋して磁界発生部がファンと共回りすることで交番磁界が発生しない非作用状態と磁界発生部は静止したまま回転軸に対してワンウェイクラッチを空転させることで交番磁界が発生する作用状態とを切り替えるので、駆動源の回転方向を正回転若しくは逆回転するだけで、ファンの発熱状態を制御することができる。
【００１４】
前記ファンと一体に組み付けられ、前記コイルユニットの各コイルと電気的に接続された発熱体を備えており、前記状態切替部は交番磁界の作用状態において、前記駆動源の駆動により前記ファンとともに前記コイルユニットを回転させることで、前記各コイルに誘起された誘導電圧を電源として前記発熱体に通電して発熱させることにより前記ファン全体が加温されるようにしてもよい。
この場合には、ファン外周縁部など熱が伝わり難い部位にも発熱体により加温することができるので、部分的な着霜を防止することができる。また、送風機のファン全体を格別な電源を設けることなく必要なときだけ効率良く発熱して除霜を行うことができる。
【００１８】
前記ファンは、熱伝導性の高い樹脂若しくは金属製のファンが用いられるのが望ましい。これによりコイルユニットの各閉コイルで発生した熱エネルギーを羽根に効率良く熱伝導させて温めることができるので、冷凍冷蔵装置の蒸発器に配置される送風機の除霜効果を高めることができる。
【発明の効果】
【００１９】
上述したように冷凍冷蔵装置においてファン自身が発熱して除霜を行う除霜運転を必要な時だけ行うことで駆動源の効率改善を実現した送風機を提供することができる。
【図面の簡単な説明】
【００２０】
【図１】第１実施例に係る送風機の正面図、左側面図、平面図、斜視図及びファンを取り外した分解斜視図である。
【図２】磁界発生部分の分解斜視図である。
【図３】ファン部分の分解斜視図である。
【図４】磁界発生部とコイルユニットを含むファン部分の断面図である。
【図５】第２実施例に係る送風機の正面図、左側面図、平面図、前方斜視図及び後方斜視図である。
【図６】図５の動作を説明する部分拡大平面図である。
【図７】第３実施例に係る送風機の分解斜視図である。
【図８】図７の磁界発生部分の分解斜視図である。
【図９】第４実施例に係るファン部分の分解斜視図である。
【発明を実施するための形態】
【００２１】
［第１実施例］
以下、本発明に係る送風機の一実施形態について、添付図面を参照しながら説明する。  先ず、一例として冷凍冷蔵装置の蒸発器に配置される送風機を想定して説明する。
図１（Ａ）〜（Ｅ）において、送風機１は以下の構成を有している。
設置面に設置されるベース台２に支柱３が起立して組み付けられている。支柱３の上端には、モータ取付フランジ４が一体に組み付けられている。モータ取付フランジ４は、例えばＬ型の板金が用いられる。モータ取付フランジ４は、取付壁４ａを支柱３の上端にねじ５によって固定される（図１（Ｅ）参照）。
【００２２】
また、図２に示すように、モータ６（駆動源）は、水平方向に配置される取付壁４ａから起立形成された起立壁４ｂの背面側に一体に組み付けられる。モータ６は、そのモータ軸（回転軸）６ａを起立壁４ｂの中央に設けられた貫通孔に挿通させてモータ軸側端面を起立壁４ｂの背面側に位置合わせし、ねじ７を起立壁４ｂを挿通してモータ６の前面側に設けられたねじ孔６ｂ（図８参照）にねじ嵌合させて固定される。
【００２３】
モータ６のモータ軸６ａの先端近傍には、複数の羽根８ｃ（例えば４枚羽根）を有するファン８が一体に組み付けられる（図１（Ｂ）（Ｃ）（Ｄ）参照）。ファン８は、熱伝導性の高い樹脂若しくは金属製のファン（アルミファン等）が用いられる。図３に示すように、ファン８は、背面側に設けたワッシャー９ａを介してファン中心孔８ａ（図３参照）にモータ軸６ａを挿通させて、前面側からファンボス９をモータ軸６ａに嵌め込んで背面側のワッシャー９ａと噛み合わせることで一体に組み付けられる（図４参照）。
【００２４】
また、図２に示すように、モータ取付フランジ４の起立壁４ｂ（取付部）の前面側（モータ６とファン８との間）には、磁界を発生させる磁界発生部１０が一体に組付けられている。タブレット状の永久磁石１０ａは磁束作用面がＮ極とＳ極とで交互に配置され、環状の磁石ホルダ１０ｂに周方向に等間隔で保持される。磁石ホルダ１０ｂの永久磁石１０ａを保持する磁束作用面は開口して永久磁石１０ａが露出するようになっている。磁石ホルダ１０ｂの裏面側には、磁性材（例えば鉄板）よりなるヨーク１０ｃ（図４参照）が重ね合わせて組み付けられる。これらは裏面側に取付板１０ｄを重ね合わせて、磁石ホルダ１０ｂの前面側から挿入されたねじ１１によって取付板１０ｄのねじ孔１０ｅにねじ嵌合することで一体に組み付けられる。また、取付板１０ｃの中心孔１０ｆにはワンウェイクラッチ１２（状態切替部）が一体に組み付けられる。
【００２５】
ワンウェイクラッチ１２は、例えば内輪と外輪を備えたカム式ワンウェイクラッチが好適に用いられる。ワンウェイクラッチ１２は内輪がモータ軸６ａと接着、圧入等により一体に組み付けられ、外輪が取付板１０ｄと接着、圧入等により一体に組み付けられる。    よって、磁束作用面に永久磁石１０ａを備えた磁界発生部１０がワンウェイクラッチ１２を介してモータ軸６ａに取り付けられている。ワンウェイクラッチ１２は、モータ軸６ａの回転方向によって、磁界発生部１０（取付板１０ｄ）に対して駆動伝達して共回りする状態と、磁界発生部１０（取付板１０ｄ）に駆動伝達されずに空転する状態とで切り替える。
【００２６】
また、図３に示すように、ファン８の背面側にはコイルユニット１３が磁界発生部１０に対向配置されて一体に組み付けられる。複数の閉コイル１４はコイルホルダ１５の周方向に配列されて、コイルホルダ１５に前方に向かって複数突設された突起１５ａを、ファン８の平板部分に設けられた挿入孔８ｂに挿入して一体に組み付けられる。尚、閉コイル１４は、コイルホルダ１５に収納されることなく、直接ファン８の背面側に組み付けられていてもよい。
【００２７】
モータ取付フランジ４（起立壁４ｂ）に固定された磁界発生部１０とファン８に固定されたコイルユニット１３とが近接して対向配置された状態の水平断面を図４に示す。図４の矢印に示すように、永久磁石１０ａのＮ極から発生した磁束は隣設する永久磁石１０ａのＳ極に進入するような磁界が形成される。このとき、コイルホルダ１５は、磁界発生部１０と近接して対向配置されているので、常時磁束が閉コイル１４と鎖交した状態にある。
【００２８】
モータ６を起動してファン８を回転駆動することでファン８と一体となってコイルユニット１３も回転する。これにより、磁界発生部１０より発生した磁束に各閉コイル１４が鎖交しながら回転することで各閉コイル１４に誘導電流が流れ、誘導電流は熱エネルギーとして消費されることから、各閉コイル１４が発熱してファン８を加温することができる。よって、冷凍冷蔵装置の蒸発器に配置される送風機１のファン８が自ら発熱して除霜を行うことで、装置コストや無駄な消費電力の発生を抑えることができる。
【００２９】
実験によれば、羽根外径φ１５０ｍｍ程度のアルミ製ファン８を用い、磁束発生部１０に外形φ７ｍｍ厚さ２ｍｍ程度のタブレット状の希土類永久磁石１０ｃを１６個配置した磁束発生部１０を用い、モータ駆動電圧１０Ｖでモータ６をモータ回転数５３００ｒｐｍで９０秒間回転させたところ、５℃〜８℃程度のファン８の温度上昇が認められた。
【００３０】
例えば、冷凍冷蔵装置においてファン８の除霜運転が必要ない場合には、モータ６を正回転駆動することで、ワンウェイクラッチ１２がモータ軸６ａの駆動を磁界発生部１０（取付板１０ｃ）に伝達して回転し、モータ軸６ａに組み付けられたファン８及びコイルユニット１３が共回りする。このとき、永久磁石１０ａと対向配置された閉コイル１４に交番磁界が形成されないため、各閉コイル１４に誘導電流は流れないため発生した電力が熱エネルギーに変換されることはなく、ファン８を加温することなく通常の送風動作を行う。
【００３１】
また、ファン８の除霜運転が必要な場合には、モータ６を逆回転駆動することで、ワンウェイクラッチ１２がモータ軸６ａの駆動を磁界発生部１０（取付板１０ｃ）に伝達せずに空転する。このとき、複数の永久磁石１０ａに対向する複数の閉コイル１４に交番磁界が形成されるため、各閉コイル１４に誘導電流が流れて発生した電力が熱エネルギーに変換されて発熱することによりファン８が加温される。
このように、モータ６の回転方向を正回転若しくは逆回転するだけで、ファン８の発熱状態を制御することができる。これにより、ファン８の回転による継続的発熱に伴うモータ負荷の増加を回避し、モータ効率改善を実現することができる。
【００３２】
［第２実施例］
次に、送風機の他例について図５及び図６を参照して説明する。第１実施例と同一部材には同一番号を付して説明を援用するものとし、以下異なる構成を中心に説明する。図５（Ａ）〜（Ｅ）に示すように送風機１の全体構成や、モータ軸に組み付けられるファン８の構成並びにコイルユニット１３の構成は第１実施例と同様である。磁界発生部１０は固定ではなく、モータ軸６ａの軸方向に沿って対向するコイルユニット１３に対して接離動可能に設けられている点が異なる。
【００３３】
図６において、磁界発生部１０は、タブレット状の永久磁石１０ａが環状の磁性体であるヨーク１０ｃに吸着固定され、ヨーク１０ｃは環状の取付板１０ｄと一体に組み付けられている。取付板１０ｄ及びヨーク１０ｃは後述するスライドギヤ２０の前面側開口内に一体に組み付けられている。
【００３４】
モータ取付フランジ４には、外周に螺旋状のねじ溝６ｃが形成された環状のねじ軸６ｄが一体に組み付けられている。このねじ軸６ｄには、スライドギヤ２０がねじ嵌合している。スライドギヤ２０は筒状ギヤであり、背面側内周面に形成されたねじ部２０ａがねじ軸６ｄとねじ嵌合している。スライドギヤ２０の前面側開口内には磁界発生部１０が一体に組み付けられている。スライドギヤ２０の外周面に形成されたギヤ部２０ｂは、モータ取付フランジ４に固定された磁石位置変更モータ２１のモータ軸２１ａに組み付けられたモータギヤ２１ｂと噛み合っている。
【００３５】
磁石位置変更モータ２１を正逆回転駆動することにより、モータギヤ２１ｂと噛み合うギヤ部２０ｂが形成されたスライドギヤ２０が図６の矢印に示すようにねじ軸６ｄの軸方向に移動する。よって、スライドギヤ２０と一体に組み付けられた磁界発生部１０は、対向するコイルユニット１３と接離動する。このため、永久磁石１０ａと閉コイル１４とのギャップＧが変化して、複数の永久磁石１０ａから発生した磁束が各閉コイル１４と鎖交する状態と鎖交しない状態とで切り替えられる。以上説明したように、ねじ軸６ｄ、スライドギヤ２０、モータギヤ２１ｂ及び磁石位置変更モータ２１によって、状態切替部Ｋが構成されている。
【００３６】
例えば、冷凍冷蔵装置においてファン８の除霜運転が必要ない場合には、例えば磁石位置変更モータ２１を正回転させて磁界発生部１０がコイルユニット１３に対して離間して磁界発生部１０より発生した磁束に各閉コイル１４が鎖交せずファン８の回転により交番磁界が発生しない非作用状態となる。この状態でモータ６を回転駆動するとファン８による通常の送風動作が行われる。
【００３７】
また、ファン８の除霜運転が必要となった場合には、例えば磁石位置変更モータ２１を逆回転させて磁界発生部１０がコイルユニット１３に対して近接して対向配置され、磁界発生部１０より発生した磁束に各閉コイル１４が鎖交する。このときモータ６の駆動によりファン８を回転させると交番磁界が発生する作用状態となるため、各閉コイル１４に誘導電流が流れて発生した電力が熱エネルギーに変換されて発熱することによりファン８が加温される。この場合、状態切替部Ｋは、磁界発生部１０の回転軸方向の位置を変更するだけで、ファン８の発熱状態を制御することができる。
【００３８】
［第３実施例］
次に、送風機の他例について図７及び図８を参照して説明する。第１実施例と同一部材には同一番号を付して説明を援用するものとし、以下異なる構成を中心に説明する。前述した第１，第２実施例では、磁界発生部１０として永久磁石１０ａを用いたが、通電用の電磁コイルを用いて磁界を発生させるようにしてもよい。ファン８の背面側に設けられたコイルユニット１３については前述した第１実施例と同様であるので、説明を援用するものとする。
【００３９】
図７において、磁界発生部１０は、モータ６が取り付けられたモータ取付フランジ４の起立壁４ｂの前方に組み付けられる。具体的には、図８において、モータ取付フランジ４の起立壁４ｂには環状のコイル取付板１６を介して通電用の電磁コイル１７が一体に組み付けられる。電磁コイル１７は、環状のヨーク１８に、時計回り方向及び反時計回り方向に巻かれた電磁コイル１７が周方向に交互に等間隔で配置されている。電磁コイル１７に通電すると、磁束作用面にＮ極及びＳ極の電磁石が交互に形成されて、コイルユニット１３の各閉コイル１４と鎖交する磁界が形成される（図４参照）。尚、電磁コイル１７は、同じ向きに巻かれていてもよい。この場合には、１つおきに電流方向を逆向きに流れるように切り替える必要がある。
【００４０】
コイル取付板１６は、モータ取付フランジ４の起立壁４ｂの前面に突設された突起４ｇをガイド孔１６ａに挿入して位置合わせして重ね合わせ、ねじ１９をヨーク１８のねじ孔１８ａ及びコイル取付板１６のねじ孔１６ｂを挿通して起立壁４ｂのねじ孔４ｆにねじ嵌合することで一体に組み付けられる。モータ６は、モータ軸６ａを起立壁４ｂの中央に設けられた貫通孔４ｃに挿通させてモータ軸側端面を起立壁４ｂの背面側に位置合わせし、ねじ７をねじ孔４ｅに挿通させてモータ６のモータ軸側端面に設けられたねじ孔６ｂにねじ嵌合させて固定される。
【００４１】
上記送風機１の制御部（状態切替部）において、電磁コイル１７に励磁電流を流して磁界を発生させファン８の回転によって交番磁界を発生させる作用状態と、励磁電流を流すことなく磁界が発生せずファン８の回転によって交番磁界が発生しない非作用状態とで切り替える。
【００４２】
例えば、冷凍冷蔵装置においてファン８の除霜運転が必要ない場合には、電磁コイル１７励磁電流を流すことなくモータ６によりファン８を回転駆動して通常の送風動作が行われる。ファン８の除霜運転が必要となった場合には、電磁コイル１７に励磁電流を流して磁界を発生させファン８の回転によってコイルユニット１３に交番磁界を発生させる作用状態とする。このとき、各閉コイル１４に誘導電流が流れて発生した電力が熱エネルギーに変換されて発熱することによりファン８が加温される。この場合、電磁コイル１７に対する励磁電流の通電非通電を切り替えるだけでファン８の発熱状態を制御することができる。
【００４３】
尚、上述した第１実施例乃至第３実施例において、ファン８に発熱体が一体に組み付けられ、コイルユニット１３の各コイルと電気的に接続されていてもよい。発熱体としては、PTC（Positive Temperature Coefficient）面状発熱ヒーター（例えばフィルムヒーター等）或いは電熱線ヒーター等様々なものが用いられる。またコイル１４は、コイルホルダ１５に収納されることなく、発熱体と共にファン８に直接組み付けられていてもよい。また、発熱体は、ファン８の各羽根８ｃの露出面を覆って設けられていればよく、ファン８の背面側ではなく表面側に設けられていてもよく或いはファン８の両面側に設けられていてもよい。更にはコイルに接続する発熱体がファン８の内部に埋設（例えば熱伝導性の高い樹脂によりインサート成形）されていてもよい。
【００４４】
状態切替部は交番磁界の作用状態において、モータ６の駆動によりファン８とともにコイルユニット１３を回転させることで、各コイルに誘起された誘導電圧を電源として発熱体に通電して発熱させることによりファン８全体が加温される。
これにより、ファン外周縁部など熱が伝わり難い部位にも発熱体により加温することができるので、部分的な着霜を防止することができる。また、送風機１のファン８全体を格別な電源を設けることなく効率良く発熱して除霜を行うことができる。
【００４５】
［第４実施例］
次に、送風機の他例について図９を参照して説明する。第１実施例と同一部材には同一番号を付して説明を援用するものとし、以下異なる構成を中心に説明する。送風機１の全体構成や磁界発生部１０の構成並びに状態切替部Ｋは第２実施例と同様である。本実施例は磁界発生部１０に近接して対向配置されるコイルユニット１３に代えて誘導加熱部２２が設けられている点が異なる。磁界発生部１０は固定ではなく、モータ軸６ａの軸方向に沿って対向する誘導加熱部２２に対して接離動可能に設けられている。
【００４６】
図９において、誘導加熱部２２は、環状の金属板が用いられる。誘導加熱部２２にはねじ孔２２ａが設けられている。誘導加熱部２２は、ファン８の背面側に重ね合せて、ファン８の平板部に設けられたねじ孔８ｄに前面側よりねじ２３を挿入してねじ孔２２ａにねじ嵌合することで一体に組み付けられる。また、ファン８は、背面側に設けたワッシャー９ａを介してファン中心孔８ａにモータ軸６ａ（図４参照）を挿通させて、前面側からファンボス９をモータ軸６ａに嵌め込んで背面側のワッシャー９ａと噛み合わせることで一体に組み付けられる（図４参照）。
【００４７】
状態切替部Ｋ（図６参照）は、磁界発生部１０と誘導加熱部２２とが近接して対向配置され磁界発生部１０より発生した磁束に誘導加熱部２２が鎖交してファン８の回転により交番磁界が発生する作用状態と、磁界発生部１０が誘導加熱部２２に対して離間して磁界発生部１０より発生した磁束に誘導加熱部２２が鎖交せずファン８の回転により交番磁界が発生しない非作用状態とで切り替える。
【００４８】
例えば、冷凍冷蔵装置においてファン８の除霜運転が必要ない場合には、例えば磁石位置変更モータ２１を正回転させて磁界発生部１０が誘導加熱部２２に対して離間して磁界発生部１０より発生した磁束が誘導加熱部２２と鎖交せずファン８の回転により交番磁界が発生しない非作用状態となる。この状態でモータ６を回転駆動するとファン８による通常の送風動作が行われる。
【００４９】
また、ファン８の除霜運転が必要となった場合には、例えば磁石位置変更モータ２１を逆回転させて磁界発生部１０が誘導加熱部２２に対して近接して対向配置され、磁界発生部１０より発生した磁束が誘導加熱部２２と鎖交する。このときモータ６の駆動によりファン８を回転させると交番磁界が発生する作用状態となるため、誘導加熱部２２に誘導電流（渦電流）が流れて発生した電力が熱エネルギーに変換されて発熱することによりファン８が加温される。
【００５０】
上記構成によっても、状態切替部Ｋが磁界発生部１０の回転軸方向の位置を変更するだけで、ファン８の発熱状態を制御することができる。
【００５１】
尚、駆動源であるモータ６は、ブラシ付きモータであってもブラシレスモータであっても、或いはＡＣ同期モータであってもよい。
また、磁石ホルダに周方向に配置されるタブレット状の永久磁石１０ａやこれらに対向配置されるコイルホルダ１５に保持される閉コイル１４は、周方向に１列配置に限らず複数列に配置してもよい。
また、永久磁石１０ａはタブレット状の磁石に限らず、Ｎ極とＳ極が隣接して円環状に連続する環状の永久磁石或いは円盤状の永久磁石であってもよい。
【符号の説明】
【００５２】
１  送風機  ２  ベース台  ３  支柱  ４  モータ取付フランジ  ４ａ  取付壁  ４ｂ  起立壁    ５，７，１１，１９，２３  ねじ  ６  モータ  ６ａ，２１ａ  モータ軸  ６ｃ  ねじ溝６ｄ  ねじ軸  ８  ファン  ８ａ  中心孔  ８ｂ  挿入孔  ８ｃ  羽根    ９  ファンボス  ９ａ  ワッシャー  １０  磁界発生部  １０ａ  永久磁石  １０ｂ  磁石ホルダ  １０ｃ，１８  ヨーク  １０ｄ  取付板  ４ｅ，４ｆ，６ｂ，８ｄ，１０ｅ，１６ｂ，２２ａ  ねじ孔  １０ｆ  中心孔  １２  ワンウェイクラッチ  １３  コイルユニット  １４  閉コイル  １５  コイルホルダ  １５ａ  突起  ２０  スライドギヤ  ２０ａ  ねじ部  ２０ｂ  ギヤ部  ２１  磁石位置変更モータ  ２１ｂ  モータギヤ  Ｋ  状態切替部  １６  コイル取付板  １６ａ  ガイド孔  １７  電磁コイル  ２２  誘導加熱部  Ｇ  ギャップ
【図１】
0006437795.tif 000002
【図２】
0006437795.tif 000003
【図３】
0006437795.tif 000004
【図４】
0006437795.tif 000005
【図５】
0006437795.tif 000006
【図６】
0006437795.tif 000007
【図７】
0006437795.tif 000008
【図８】
0006437795.tif 000009
【図９】
0006437795.tif 000010